(57)【要約】      （修正有）【課題】殻の飛散を防止し、胡桃の殻が容易に割れる胡桃割り器を提供する。【解決手段】矩形の底板２１と底板２１の各縁部に立設された側板２２ａ〜２２ｄを有して胡桃１００を収容可能な箱形に構成された筐体２と、筐体２内に収容された胡桃１００を押圧して殻を割るための押圧部３とを備え、側板２２ａには、ねじ孔を有する支持部２４が設けられ、押圧部３は、支持部２４のねじ孔にねじ込まれて先端部３１ａが筐体２内に位置する状態で支持部２４によって支持されたねじ棒３１と、先端部３１ａに対して相対的に回転可能な状態で先端部３１ａに取り付けた当接部３２と、ねじ棒３１の基端部３１ｂに取り付けられたノブ３３とを備えて、筐体２内における側板２２ｂと当接部３２との間に胡桃１００が収容された状態でノブ３３を回転させてねじ棒３１をねじ込むことにより当接部３２が胡桃１００を押圧するように構成される。【選択図】図２
0003184418.tif 000002
【実用新案登録請求の範囲】
【請求項１】
胡桃の殻を割って種子を取り出すための胡桃割り器であって、
矩形の底板および当該底板の各縁部に立設された側板を有して前記胡桃を収容可能な箱形に構成された筐体と、当該筐体内に収容された前記胡桃を押圧して前記殻を割るための押圧部とを備え、
互いに対向する一対の前記側板の一方には、ねじ孔を有する支持部が設けられ、
前記押圧部は、前記支持部の前記ねじ孔にねじ込まれて先端部が前記筐体内に位置する状態で当該支持部によって支持されたねじ棒と、前記先端部に対して相対的に回転可能な状態で当該先端部に取り付けられた当接部と、前記ねじ棒の基端部に取り付けられたノブとを備えて、前記筐体内における前記一対の側板の他方と前記当接部との間に前記胡桃が収容された状態で前記ノブを回転させて前記ねじ棒をねじ込むことによって前記当接部が当該胡桃を押圧するように構成されている胡桃割り器。
【請求項２】
前記当接部の中央部には、凹部が設けられている請求項１記載の胡桃割り器。
【請求項３】
前記他方の側板の内面には、凹部が設けられている請求項１または２記載の胡桃割り器。
【請求項４】
前記ノブは、円筒状に形成されている請求項１から３のいずれかに記載の胡桃割り器。
【考案の詳細な説明】
【技術分野】
【０００１】
本考案は、胡桃の殻を割って種子を取り出すための胡桃割り器に関するものである。
【背景技術】
【０００２】
この種の器具として、実開平０５−０６０４３６号公報に開示された胡桃（くるみ）割り器が知られている。この胡桃割り器は、先端部を枢着した一対の挟持杆を備えて構成されている。この場合、この挟持杆の先端部の近傍には、挟持凹部と胡桃割り刃とで構成される胡桃割部が設けられている。この胡桃割り器を用いて胡桃を割るときには、各挟持杆の握持部（基端部）を開き、次いで、挟持凹部の嵌合係止溝に胡桃の突出縁部を嵌合させる。続いて、握持部を握持して胡桃割部を閉じる。この際に、挟持凹部と胡桃割り刃とによって胡桃が挟み込まれて、胡桃の突出縁部における合わせ目に胡桃割り刃が当接する。次いで、握持部をさらに握持することにより、胡桃割り刃が合わせ目に進入し、これによって胡桃の殻を割ることができる。
【先行技術文献】
【特許文献】
【０００３】
【特許文献１】実開平０５−０６０４３６号公報（第４−５頁、第１−２図）
【考案の概要】
【考案が解決しようとする課題】
【０００４】
ところが、従来の胡桃割り器には、解決すべき以下の課題がある。すなわち、従来の胡桃割り器を用いて胡桃を割るときには、挟持杆の先端部に設けられている挟持凹部の嵌合係止溝に胡桃の突出縁部を嵌合させる必要がある。しかしながら、嵌合係止溝に突出縁部を嵌合させた胡桃のバランスを保ちながら保持するのは容易ではないため、挟持凹部から胡桃が落下して、効率的に胡桃割りの作業を行うことがでないという課題が存在する。また、従来の胡桃割り器では、挟持凹部と胡桃割り刃とで胡桃を挟み込んで殻を割る際に、殻の一部が破砕されて飛散するため、飛散した殻を拾い集める煩雑な作業が発生することとなる。
【０００５】
本考案は、かかる課題に鑑みてなされたものであり、殻の飛散を防止しつつ胡桃の殻を割る作業を容易に行い得る胡桃割り器を提供することを主目的とする。
【課題を解決するための手段】
【０００６】
上記目的を達成すべく請求項１記載の胡桃割り器は、胡桃の殻を割って種子を取り出すための胡桃割り器であって、矩形の底板および当該底板の各縁部に立設された側板を有して前記胡桃を収容可能な箱形に構成された筐体と、当該筐体内に収容された前記胡桃を押圧して前記殻を割るための押圧部とを備え、互いに対向する一対の前記側板の一方には、ねじ孔を有する支持部が設けられ、前記押圧部は、前記支持部の前記ねじ孔にねじ込まれて先端部が前記筐体内に位置する状態で当該支持部によって支持されたねじ棒と、前記先端部に対して相対的に回転可能な状態で当該先端部に取り付けられた当接部と、前記ねじ棒の基端部に取り付けられたノブとを備えて、前記筐体内における前記一対の側板の他方と前記当接部との間に前記胡桃が収容された状態で前記ノブを回転させて前記ねじ棒をねじ込むことによって前記当接部が当該胡桃を押圧するように構成されている。
【０００７】
また、請求項２記載の胡桃割り器は、請求項１記載の胡桃割り器において、前記当接部の中央部には、凹部が設けられている。
【０００８】
また、請求項３記載の胡桃割り器は、請求項１または２記載の胡桃割り器において、前記他方の側板の内面には、凹部が設けられている。
【０００９】
また、請求項４記載の胡桃割り器は、請求項１から３のいずれかに記載の胡桃割り器において、前記ノブは、円筒状に形成されている。
【考案の効果】
【００１０】
請求項１記載の胡桃割り器によれば、胡桃を収容可能な箱形の筐体と、筐体の側板に設けられた支持部によって支持されたねじ棒を有する押圧部とを備えたことにより、筐体内における側板と当接部との間に胡桃を収容してねじ棒をねじ込むだけで、胡桃を落下させることなく、胡桃を確実に押圧することができる。このため、この胡桃割り器によれば、胡桃の落下がない分、殻を割る作業を効率的に行うことができる。また、この胡桃割り器によれば、筐体内に胡桃を収容した状態で胡桃を押圧して殻を割ることにより、押圧によって殻の一部が破砕されたとしても、破砕された殻を筐体内に止めて周囲への飛散を確実に防止することができる。さらに、この胡桃割り器によれば、当接部をねじ棒の先端部に対して相対的に回転可能な状態で先端部に取り付けたことにより、当接部が胡桃に当接している状態でねじ棒がねじ込まれたときには、ねじ棒が当接部に対して相対的に回転するだけで、当接部を胡桃に対して回転させない状態に維持しつつ当接部で胡桃を押圧することができる。このため、この胡桃割り器によれば、胡桃に対して当接部が回転することによって殻が破砕されてばらばらの状態となる事態を確実に回避することができる。
【００１１】
また、請求項２記載の胡桃割り器によれば、当接部の中央部に凹部を設けたことにより、筐体内に収容した胡桃に当接部が当接する際に、胡桃の外周面を凹部の内面に面的に（または、複数の接触点で）接触させることができるため、押圧部で胡桃を押圧する際の当接部に対する胡桃の位置ずれ（移動）を確実に防止することができる結果、胡桃の殻を確実に割ることができる。
【００１２】
また、請求項３記載の胡桃割り器によれば、側板の内面に凹部を設けたことにより、筐体内に収容された胡桃が押圧部によって押圧されたときに胡桃の外周面を凹部の内面に面的に（または、複数の接触点で）接触させることができるため、押圧部で胡桃を押圧する際の側板に対する胡桃の位置ずれ（移動）を確実に防止することができる結果、胡桃の殻を確実に割ることができる。
【００１３】
また、請求項４記載の胡桃割り器によれば、ノブを円筒状に形成したことにより、ノブの製作工程を簡略化することができるため、ノブおよび胡桃割り器の製作コストを低減することができる。また、角形の形状よりも円筒状の形状の方が、把持した際に手になじみ易いため、その分操作性を向上することができる。
【図面の簡単な説明】
【００１４】
【図１】胡桃割り器１の構成を示す斜視図である。
【図２】胡桃割り器１の使用方法を説明する説明図である。
【図３】殻１０１が割れた状態を示す胡桃１００の平面図である。
【考案を実施するための形態】
【００１５】
以下、胡桃割り器の実施の形態について、添付図面を参照して説明する。
【００１６】
最初に、胡桃割り器の一例としての図１に示す胡桃割り器１の構成について説明する。胡桃割り器１は、胡桃１００（図２，３参照）の殻１０１（図３参照）を割って種子（子葉）１０２（同図参照）を取り出すための器具であって、図１に示すように、筐体２および押圧部３を備えて構成されている。
【００１７】
筐体２は、図１に示すように、立方体の一面を開口させた箱形に形成されて、胡桃を収容可能な収容部２ａを有して構成されている。具体的には、筐体２は、矩形の底板２１と、底板２１の４つの縁部にそれぞれ立設された側板２２ａ〜２２ｄ（以下、区別しないときには「側板２２」ともいう）とを備えて構成されている。
【００１８】
また、筐体２は、一例として、金属板（例えば、鉄板やステンレス板）を用いて作製される。この例では、一枚の金属板を折り曲げて、側板２２ａ〜２２ｄの縁部同士を溶接することによって筐体２が作製されている。
【００１９】
また、図２に示すように、筐体２の側板２２ａ（互いに対向する一対の側板２２ａ，２２ｂの一方）の中央部には、後述する押圧部３のねじ棒３１の挿通が可能な挿通孔２３が形成されている。また、側板２２ａには、図１に示すように、ねじ棒３１のねじ込みが可能なねじ孔２４ａを有する支持部２４が設けられている。この場合、支持部２４は、ねじ孔２４ａと側板２２ａの挿通孔２３とが連通するようにして側板２２ａの外面に配設されて、溶接によって側板２２ａに固定されている。
【００２０】
また、図１，２に示すように、側板２２ａに対向する側板２２ｂ（互いに対向する一対の側板２２ａ，２２ｂの他方）の内面の中央部には、胡桃１００を面的に（または、複数の接触点で）支持するための凹部２５が設けられている。この凹部２５を設けることで、筐体２の収容部２ａに収容された胡桃１００が押圧部３によって押圧されたときに胡桃１００の外周面が凹部２５の内面に面的に（または、複数の接触点で）接触し、これにより、後述するように、押圧部３で胡桃１００を押圧する際の側板２２ｂに対する胡桃１００の位置ずれ（移動）が防止される。
【００２１】
押圧部３は、筐体２に収容された胡桃１００を押圧して殻１０１を割るための部材であって、図１，２に示すように、ねじ棒３１、当接部３２およびノブ３３を備えて構成されている。
【００２２】
ねじ棒３１は、図１，２に示すように、右回り（時計回り）の回転によって先端部３１ａが前方に進む右ねじのねじ山が外周面に形成された棒状の部材（全ねじ）で構成されている。また、ねじ棒３１は、筐体２の側板２２ａに設けられている支持部２４のねじ孔２４ａにねじ込まれて、先端部３１ａが筐体２の収容部２ａ内に位置する状態で支持部２４によって支持されている。このため、ねじ棒３１は、右回りに回転させられたときに、筐体２の側板２２ａから筐体２の収容部２ａ内に突出する先端部３１ａの突出量が増加し、左回り（反時計回り）に回転させられたときに、先端部３１ａの突出量が減少する。
【００２３】
当接部３２は、筐体２の収容部２ａに収容された胡桃１００に当接する部材であって（図２参照）、図１，２に示すように、ねじ棒３１の先端部３１ａに対して相対的に回転可能（空回りが可能）な状態で先端部３１ａに取り付けられている。この場合、当接部３２は、一例として、曲率の異なる球冠形状（球体の一部で構成される形状）をなす板材４１，４２を重ね合わせて接合（例えば、溶接によって接合）することによって作製されており、図２に示すように、中央部に凹部３２ａが設けられた（中央部がやや凹んだ）全体として円形の厚板状に形成されている。当接部３２の中央部に凹部３２ａを設けることで、当接部３２が胡桃１００に当接する際に、胡桃１００の外周面が凹部３２ａの内面に面的に（または、複数の接触点で）接触し、これにより、後述するように、押圧部３で胡桃１００を押圧する際の当接部３２に対する胡桃１００の位置ずれが防止される。
【００２４】
ノブ３３は、ねじ棒３１を回転させるときに把持する部材であって、図１，２に示すように、ねじ棒３１の基端部３１ｂに取り付けられている。この場合、ノブ３３は、図１に示すように、一例として、円筒状に形成されている。ノブ３３を円筒状に形成したことで、ノブ３３の製作工程を簡略化することができるため、製作コストを低減することが可能となっている。また、角形の形状よりも円筒状の形状の方が、把持した際に手になじみ易いため、その分、操作性が向上される。さらに、円筒状に形成したことでノブ３３の軽量化が図られている。また、図１に示すように、ノブ３３の表面には、滑り止めとして機能する凹凸（一例として、ローレット加工によって形成された凹凸）が設けられている。なお、同図では、凹凸が形成された一部の領域のみを拡大して図示している。
【００２５】
次に、胡桃割り器１の使用方法について、図面を参照して説明する。
【００２６】
まず、押圧部３のノブ３３を把持して左回りに回転させる。この際に、ねじ棒３１が回転させられて、図１に示すように、筐体２の側板２２ａからの先端部３１ａの突出量が減少し、先端部３１ａに取り付けられている当接部３２が側板２２ｂから離反して側板２２ａに近接する。
【００２７】
次いで、図２に示すように、筐体２の収容部２ａにおける当接部３２と側板２２ｂとの間に胡桃１００を収容する。この際に、同図に示すように、胡桃１００の長尺方向がねじ棒３１の軸線に直交し、かつ胡桃１００を構成する２つの半体１０１ａ，１０１ｂ（図３参照）の接合部分が筐体２の底板２１に平行（または、ほぼ平行）となる姿勢で胡桃１００を収容するのが好ましく、このように収容することで、後述するように、殻１０１をきれいに２つに（２つの半体１０１ａ，１０１ｂに）分断することができる。
【００２８】
続いて、押圧部３のノブ３３を把持して右回りに回転させる。この際に、ねじ棒３１が回転させられて支持部２４のねじ孔２４ａにねじ込まれ、これによって筐体２の側板２２ａからの先端部３１ａの突出量が増加し、先端部３１ａに取り付けられている当接部３２が胡桃１００に当接する。
【００２９】
次いで、ノブ３３をさらに回転させてねじ棒３１をさらにねじ込ませる（先端部３１ａの突出量をさらに増加させる）。これに伴って胡桃１００が側板２２ｂ側に移動して、続いて、図２に示すように当接部３２と側板２２ｂとによって胡桃１００が挟み込まれる。
【００３０】
次いで、この状態でノブ３３をさらに回転させることにより、当接部３２によって胡桃１００を押圧させる。この場合、この胡桃割り器１では、側板２２ｂに凹部２５が設けられ、当接部３２に凹部３２ａが設けられている。このため、胡桃１００の外周面が凹部２５の内面および凹部３２ａの内面に面的に（または、複数の接触点で）接触し、これによって側板２２ｂおよび当接部３２に対する胡桃１００の位置ずれが防止される。
【００３１】
この場合、この胡桃割り器１では、当接部３２がねじ棒３１の先端部３１ａに対して相対的に回転可能な状態で先端部３１ａに取り付けられている。このため、当接部３２が胡桃１００に当接して胡桃１００に対する押圧が開始されたときには、ノブ３３の回転に伴ってねじ棒３１がねじ込まれても、ねじ棒３１が当接部３２に対して相対的に回転するだけで、当接部３２は、胡桃１００に対して回転することなく胡桃１００を押圧する。このため、胡桃１００に対して当接部３２が回転することによって殻１０１が破砕されてばらばらの状態となる事態が回避される。
【００３２】
続いて、胡桃１００に対する当接部３２の押圧力によって殻１０１を構成する半体１０１ａ，１０１ｂの接合部分が変形し、この変形に伴って接合部分が離反し、これによって殻１０１が２つの半体１０１ａ，１０１ｂに分断される。ここで、半体１０１ａ，１０１ｂの接合部分が筐体２の底板２１に対して平行となる姿勢で胡桃１００を収容部２ａに収容しているため、当接部３２による押圧力が主として接合部分に作用する。この場合、半体１０１ａ，１０１ｂの接合部分は破壊強度が高いため、押圧によって接合部分が破砕される以前に接合部分が離反する。つまり、このように胡桃１００を収容部２ａに収容して押圧部３で胡桃１００を押圧することで、破砕が少ない状態で殻１０１がきれいに２つの半体１０１ａ，１０１ｂに分断される。また、この胡桃割り器１では、筐体２内（収容部２ａ内）で殻１０１が割られる（殻１０１が分断される）ため、殻１０１の一部が破砕されたとしても、破砕された殻１０１が収容部２ａ内に止まって、周囲への飛散が確実に防止される。
【００３３】
次いで、ノブ３３を左回りに回転させて、先端部３１ａに取り付けられている当接部３２を側板２２ｂから離反させる。続いて、収容部２ａから半体１０１ａ，１０１ｂを取り出し、半体１０１ａ，１０１ｂから種子１０２を取り出す。以上により、１つの胡桃１００を割る作業が終了する。次いで、他の胡桃１００を割るときには、上記した手順を繰り返す。
【００３４】
なお、胡桃１００を筐体２の収容部２ａに収容するときに、２つの半体１０１ａ，１０１ｂの接合部分が筐体２の底板２１に対して垂直となる姿勢で胡桃１００を収容することもできる。この場合、胡桃１００に対する押圧部３の押圧によって殻１０１が破砕されたとしても、破砕された殻１０１が筐体２内に止まって筐体２外への飛散が確実に防止される。また、図２に示す胡桃１００を９０°回動させた姿勢、つまり、胡桃１００の長尺方向がねじ棒３１の軸線に沿う姿勢で胡桃１００を収容部２ａに収容することもできる。この姿勢で胡桃１００を収容した場合においても、側板２２ｂに凹部２５が形成され、当接部３２に凹部３２ａが形成されているため、押圧部３で胡桃１００を押圧する際の側板２２ｂおよび当接部３２に対する胡桃１００の位置ずれ（移動）を確実に防止することができる。
【００３５】
このように、この胡桃割り器１によれば、胡桃１００を収容可能な箱形の筐体２と、筐体２の側板２２ａに設けられた支持部２４によって支持されたねじ棒３１を有する押圧部３とを備えたことにより、筐体２の収容部２ａにおける側板２２ｂと当接部３２との間に胡桃１００を収容してねじ棒３１をねじ込むだけで、胡桃１００を落下させることなく、胡桃１００を確実に押圧することができる。このため、この胡桃割り器１によれば、胡桃１００の落下がない分、殻１０１を割る作業を効率的に行うことができる。また、この胡桃割り器１によれば、筐体２の収容部２ａに胡桃１００を収容した状態で胡桃１００を押圧して殻１０１を割ることにより、押圧によって殻１０１の一部が破砕されたとしても、破砕された殻１０１を収容部２ａ内に止めて周囲への飛散を確実に防止することができる。さらに、この胡桃割り器１によれば、当接部３２をねじ棒３１の先端部３１ａに対して相対的に回転可能な状態で先端部３１ａに取り付けたことにより、当接部３２が胡桃１００に当接している状態でねじ棒３１がねじ込まれたときには、ねじ棒３１が当接部３２に対して相対的に回転するだけで、当接部３２を胡桃１００に対して回転させない状態に維持しつつ当接部３２で胡桃１００を押圧することができる。このため、この胡桃割り器１によれば、胡桃１００に対して当接部３２が回転することによって殻１０１が破砕されてばらばらの状態となる事態を確実に回避することができる。
【００３６】
また、この胡桃割り器１によれば、当接部３２の中央部に凹部３２ａを設けたことにより、筐体２の収容部２ａに収容した胡桃１００に当接部３２が当接する際に、胡桃１００の外周面を凹部３２ａの内面に面的に（または、複数の接触点で）接触させることができるため、押圧部３で胡桃１００を押圧する際の当接部３２に対する胡桃１００の位置ずれ（移動）を確実に防止することができる結果、胡桃１００の殻１０１を確実に割ることができる。
【００３７】
また、この胡桃割り器１によれば、側板２２ｂの内面に凹部２５を設けたことにより、筐体２の収容部２ａに収容された胡桃１００が押圧部３によって押圧されたときに胡桃１００の外周面を凹部２５の内面に面的に（または、複数の接触点で）接触させることができるため、押圧部３で胡桃１００を押圧する際の側板２２ｂに対する胡桃１００の位置ずれ（移動）を確実に防止することができる結果、胡桃１００の殻１０１を確実に割ることができる。
【００３８】
また、この胡桃割り器１によれば、ノブ３３を円筒状に形成したことにより、ノブ３３の製作工程を簡略化することができるため、ノブ３３および胡桃割り器１の製作コストを低減することができる。また、角形の形状よりも円筒状の形状の方が、把持した際に手になじみ易いため、その分操作性を向上することができる。
【００３９】
なお、胡桃割り器の構成は、上記の構成に限定されず、適宜変更することができる。例えば、金属板で筐体２を作製した例について上記したが、樹脂等の他の材料で筐体２を作製することもできる。
【００４０】
また、側板２２ｂに凹部２５を設けた例について上記したが、凹部２５を設けていない構成を採用することもできる。また、２つの板材４１，４２を接合して形成した当接部３２を採用した例について上記したが、一つの部材（例えば、板材）で形成した当接部３２を採用することもできる。また、当接部３２の形状は、円形に限定されず、楕円形や矩形であってもよいし、矩形以外の多角形であってもよい。また、凹部３２ａを設けていない当接部３２を採用することもできる。
【００４１】
また、ノブ３３の形状は円筒形に限定されず、円柱形であってもよいし、外周が多角形の筒状または柱状であってもよい。
【００４２】
また、側板２２ａとは別体に形成した支持部２４を側板２２ａに固定した構成例について上記したが、側板２２ａを厚く形成すると共に、ねじ棒３１のねじ込みが可能なねじ孔を挿通孔２３に代えて側板２２ａに形成する構成、つまり側板２２ａ自体を支持部として機能させる構成を採用することもできる。
【符号の説明】
【００４３】
１  胡桃割り器
２  筐体
２ａ  収容部
３  押圧部
２１  底板
２２ａ〜２２ｄ  側板
２４  支持部
２４ａ  ねじ孔
２５  凹部
３１  ねじ棒
３１ａ  先端部
３１ｂ  基端部
３２  当接部
３２ａ  凹部
３３  ノブ
１００  胡桃
１０１  殻
１０２  種子
【図１】
0003184418.tif 000003
【図２】
0003184418.tif 000004
【図３】
0003184418.tif 000005